(57)【要約】【課題】浴槽全体の大型化を防止しながら、フランジ部にコーナー収納箱を収納可能にする。【解決手段】浴槽１の上端外周に形成されたフランジ部２における壁面１４側同士が交わる浴室隅部のコーナー部分２Ａに、フランジ部２下方の浴槽裏側３に連通する切欠き部４を切欠加工し、該切欠き部４の平面視形状と対応する平面視外郭形状を有するコーナー収納箱５をフランジ部２上方から該切欠き部４に取り外し可能に嵌め込むようにした浴槽へのコーナー収納部材の取付構造である。【選択図】図１
2010142610.tif 000002
【特許請求の範囲】
【請求項１】
浴槽の上端外周に形成されたフランジ部における壁面側同士が交わる浴室隅部のコーナー部分に、フランジ部下方の浴槽裏側に臨ませて切欠き部を切欠加工し、該切欠き部の平面視形状と対応する平面視外郭形状を有するコーナー収納箱をフランジ部上方から該切欠き部に取り外し可能に嵌め込んでなることを特徴とする浴槽へのコーナー収納箱の取付構造。
【請求項２】
上記コーナー収納箱の底面部に、コーナー収納箱内部に流入した水を外部へ排出するためのドレン管を接続したことを特徴とする請求項１記載の浴槽へのコーナー収納箱の取付構造。
【請求項３】
上記切欠き部の切欠き木口に沿って木口カバー材を覆設し、上面が開口したコーナー収納箱の上面開口部を上蓋で開閉可能に覆うと共に、コーナー収納箱の上面開口部の外周縁を該木口カバー材の上面に乗載することで、該上蓋をフランジ部上面よりも一段高く配置したことを特徴とする請求項１又は請求項２記載の浴槽へのコーナー収納箱の取付構造。
【発明の詳細な説明】
【技術分野】
【０００１】
本発明は、浴槽へのコーナー収納箱の取付構造に関するものである。
【背景技術】
【０００２】
従来から、浴槽にシャンプー等の入浴用品を収納する収納部を設けるにあたって、浴槽の上端外周に形成されるフランジ部のうち、洗い場とは反対側の壁面側のフランジ部の長辺全長に亘って収納部を有する縦長のカウンタを増設したもの（例えば特許文献１）や、浴槽頭側に位置するフランジ部の短辺に沿って横長の蓋付き収納部を増設したもの（例えば、特許文献２）が知られている。
【０００３】
ところが上記特許文献１、２に見られる従来例では、壁面側のフランジ部或いは浴槽頭側のフランジ部よりも外方に突出するように収納部を増設しているため、浴槽全体の大型化を招くという問題がある。
【特許文献１】実開平７−２４１８９号公報
【特許文献２】実開平７−２７３９１号公報
【発明の開示】
【発明が解決しようとする課題】
【０００４】
本発明は上記の従来の問題点に鑑みて発明したものであって、その課題とするところは、浴槽全体の大型化を防止しながら、浴槽のフランジ部の形状的に広いコーナー部分を利用してコーナー収納箱を収めることができると共に、コーナー部分における浴槽裏側のデッドスペースを有効利用できる浴槽へのコーナー収納箱の取付構造を提供することにある。さらに、コーナー収納箱内への水の流入や、コーナー収納箱と切欠き部との隙間から浴槽裏側への水の流入を防止でき、さらにコーナー収納箱内に流入した水を外部に排水可能とする浴槽へのコーナー収納箱の取付構造を提供することにある。
【課題を解決するための手段】
【０００５】
前記の課題を解決するために、本発明は、浴槽１の上端外周に形成されたフランジ部２における壁面１４側同士が交わる浴室隅部のコーナー部分２Ａに、フランジ部２下方の浴槽裏側３に臨ませて切欠き部４を切欠加工し、該切欠き部４の平面視形状と対応する平面視外郭形状を有するコーナー収納箱５をフランジ部２上方から該切欠き部４に取り外し可能に嵌め込んでなることを特徴としている。
【０００６】
このような構成とすることで、切欠き部４の上方から切欠き部４に収まる形状のコーナー収納箱５を嵌め込むことによって、コーナー収納箱５が切欠き部４内に収まって外方に突出することがないため、コーナー収納箱５によって浴槽１全体の大型化を招くことがなくなると共に、コーナー部分における浴槽裏側３のデッドスペースを収納空間として有効利用できる。
【０００７】
また、上記コーナー収納箱５の底面部５ａに、コーナー収納箱５内部に流入した水を外部へ排出するためのドレン管６を接続するのが好ましく、この場合、仮りにコーナー収納箱５内に水が流入しても、その水は底面部５ａのドレン管６から排水できるので、コーナー収納箱５内にストックされている小物浴室用品が水浸しになることがない。
【０００８】
また、上記切欠き部４の切欠き木口４ａに沿って木口カバー材７を覆設し、上面が開口したコーナー収納箱５の上面開口部８を上蓋９で開閉可能に覆うと共に、コーナー収納箱５の上面開口部８の外周縁を該木口カバー材７の上面に乗載することで、該上蓋９をフランジ部２上面２ａよりも一段高く配置するのが好ましく、この場合、フランジ部２上面２ａを伝い流れる湯水が上蓋９に達し難くなり、コーナー収納箱５の防水性を確保できると共に、木口カバー材７によってコーナー収納箱５と切欠き部４との隙間から浴槽裏側３への水の流入も防止できるようになる。
【発明の効果】
【０００９】
請求項1記載の発明は、フランジ部の形状的に広いコーナー部分にコーナー収納箱を収めることができ、浴槽全体の大型化を招くことがなく、しかもコーナー部分における浴槽裏側のデッドスペースを有効利用できるものである。さらにコーナー収納箱を取り外した状態で切欠き部を利用して浴槽裏側の配管の点検・修理等が可能となり、メンテナンス向上を図ることが可能となる。
【００１０】
請求項２記載の発明は、コーナー収納箱内に流入した水を底面部のドレン管から排水できるので、コーナー収納箱内部が水浸しになることがない。
【００１１】
請求項３記載の発明は、上面開口部を上蓋で開閉するコーナー収納箱を防水構造にできると共に、木口カバー材によってコーナー収納箱と切欠き部との隙間から浴槽裏側への水の流入も同時に防止可能となる。
【発明を実施するための最良の形態】
【００１２】
以下、本発明を添付図面に示す実施形態に基いて説明する。
【００１３】
本実施形態の浴槽１は、図３に示すように、平面視長方形状に形成され、その上端外周に形成されたフランジ部２の一方側の長辺１０が洗い場３０に対向し、他方側の長辺１１が洗い場３０と反対側の壁面１４に対向している。フランジ部２の一方側の短辺１２は入浴者の頭部がくる浴槽頭側１Ａに位置し、他方側の短辺１３は入浴者の足部がくる浴槽足側１Ｂに位置している。
【００１４】
上記フランジ部２の４つのコーナー部分２Ａ〜２Ｄは、それぞれ形状的に広いスペースを有している。ここで、洗い場３０側の２つのコーナー部分２Ｃ,２Ｄは、例えば浴槽１出入りの際の腰掛けスペースや、ポップアップ排水栓のような浴槽排水装置や水栓器具等の取り付けスペースとして活用できるが、一方、洗い場３０とは反対側の壁面１４側同士が交わる浴室隅部の２つのコーナー部分２Ａ,２Ｂは活用できる用途はなく、そのうえこれらコーナー部分２Ａ（２Ｂ）の下方の浴槽裏側３はそれぞれ広いデッドスペースとなっている。
【００１５】
本発明においては、フランジ部２の壁面１４側のコーナー部分２Ａ,２Ｂのいずれか一方に、浴槽１側に向かって平面視円弧状に切欠き部４が切欠加工されている。図１の例では、切欠き部４は、浴槽足側１Ｂに位置するフランジ部２の短辺１３と、壁面１４側に位置するフランジ部２の長辺１１とのなすコーナー部分２Ａに切欠加工されているが、コーナー部分２Ｂに切欠き部４を設けてもよい。図３中の１５は切欠き部４の切欠き木口４ａに沿わせてフランジ部２下面に設けられる補強用リブであり、フランジ部２の強度確保が図られる。
【００１６】
上記切欠き部４の切欠き木口４ａにはその全長に亘って、図１、図２に示す円弧状の木口カバー材７が覆設されている。木口カバー材７は、防水性及び防湿性を有する材料で断面コ字状に形成され、切欠き部４の切欠き木口４ａに対して横方向から嵌め込んだ状態でその上片７ａがフランジ部上面２ａに隙間なく密着している。
【００１７】
上記切欠き部４には、掃除用具やシャンプー等の小物浴室用品をストックするためのコーナー収納箱５が嵌め込まれる。コーナー収納箱５の上面開口部８は取手（図示せず）を備えた上蓋９にて開閉自在とされる。コーナー収納箱５の平面視外郭形状は、切欠き部４の平面視形状と対応する同一形状、寸法に形成されている。本例では、平面視円弧状に曲成された前面部１６と平面視で直交する背面部１７と側面部１８とを有する平面視扇形状に形成されており、前面部１６が切欠き部４の木口カバー材７と同じ曲率で曲成され、背面部１７がフランジ部２の長辺１１の延長線上に配置され、側面部１８がフランジ部２の短辺１３の延長線上に配置されることで、切欠き部４内からコーナー収納箱５が外方にはみ出すことなくぴったりと納まるようにしている。また本例のコーナー収納箱５の前面部１６の上端には、図２（ｂ）に示すように、木口カバー材７の上片７ａに乗載されるつば部１９が突設されており、つば部１９が木口カバー材７の上片７ａに乗ることで、コーナー収納箱５の上面開口部８を開閉する上蓋９がフランジ部上面２ａよりも上方に一段高く配置される。
【００１８】
なお本例では、コーナー収納箱５の背面部１７及び側面部１８の上端にもつば部２０（図２ａ）が設けられ、壁面１４に取り付けた壁面支持具２１にて該つば部２０を支持するようにしている。
【００１９】
上記コーナー収納箱５の底面部５ａには、コーナー収納箱５内部に流入した水を外部に排水するためのドレン管６が取り付けられている。ドレン管６は例えば浴槽１内の水を排水する外部排水管に分岐接続されている。
【００２０】
しかして、上記構成によれば、フランジ部２の壁面１４側のコーナー部分２Ａに切欠き部４を形成し、切欠き部４の上方からコーナー収納箱５を嵌め込むことによって、コーナー収納箱５が切欠き部４内に収まるため浴槽１全体の大型化を招くことがなくなる。また、コーナー収納箱５の上端外周のつば部１９,２０が木口カバー材７及び壁面支持具２１にてそれぞれ支持された状態で、コーナー収納箱５の略全体がフランジ部２下方の浴槽裏側３に収納保持されるようになる。さらに、コーナー部分における浴槽裏側３のデッドスペースをコーナー収納箱５の収納空間として有効活用することができる。そのうえ切欠き部４の下面に設けられる補強用リブ１５によって切欠き部４の強度を確保していると共に、コーナー収納箱５の背面部１７及び側面部１８を浴室の壁面１４に固定した壁面支持具２１にて支持しているので、コーナー収納箱５の支持強度を確保できるものである。
【００２１】
しかも、上記切欠き部４はフランジ部２の浴槽足側１Ｂの短辺１３と壁面１４側の長辺１１とのなすコーナー部分２Ａに設けられているので、切欠き部４に収納されるコーナー収納箱５が浴槽足側１Ｂに位置するようになり、入浴者にとって圧迫感をなくすことができる。
【００２２】
また、コーナー収納箱５の上面開口部８を上蓋９にて開閉可能に覆うと共に、木口カバー材７によって上蓋９をフランジ部上面２ａよりも上方に一段高い位置に納めるようにしたので、フランジ部上面２ａを伝い流れる湯水が上蓋９に達し難くなり、結果、上蓋９と上面開口部８との隙間からコーナー収納箱５内部への水の流入を効果的に防止できるようになる。しかも、防水性及び防湿性を有する木口カバー材７によってコーナー収納箱５の前面部１６上端のつば部１９と切欠き部４の切欠き木口４ａとの間隙が埋められるようになり、さらに壁面１４側に取り付けた壁面支持具２１にてコーナー収納箱５の背面部１７上端及び側面部１８上端と壁面１４との間隙が埋められるようになるので、コーナー収納箱５と壁面１４との隙間から浴槽裏側３への水の流入も確実に防止できる構造となる。万一、上蓋９と上面開口部８との隙間からコーナー収納箱５内部に水が流入した場合でも、コーナー収納箱５の底面部５ａに設けたドレン管６から排水されるので、流入した水がコーナー収納箱５内部に溜まることがなく、従って、コーナー収納箱５内にストックされている小物浴室用品が水浸しになることもない。
【００２３】
また本例ではコーナー収納箱５の上蓋９の上面を、小物置きスペースや風呂蓋（巻き蓋）置きスペースとして活用できる利点もある。なお上蓋９は開閉式に限らず、着脱式であってもよい。
【００２４】
一方、配管の点検等を行なう場合は、コーナー収納箱５を切欠き部４から取り外す。このとき上蓋９に取手を設けておくことにより、取り外しが容易となる。このとき開放される切欠き部４がフランジ部２下方の浴槽裏側３に開放されるので、点検口として利用できる。つまり、従来技術で述べた特許文献１、２等に開示された収納部は取り外しができず、点検口としての機能は備わっていないが、本発明ではコーナー収納箱５を嵌め込むための切欠き部４が点検口としても機能するので、洗い場３０から離れた壁面１４側からの配管の点検・修理等が可能となり、メンテナンス性を向上させることができる効果も得られる。
【００２５】
前記切欠き部４は、フランジ部２の壁面１４側のコーナー部分２Ａ又は２Ｂのいずれか一方に設けてもよいが、両方に設けてもよい。
【００２６】
また前記実施形態では切欠き部４の平面視形状を円弧状とし、コーナー収納箱５を平面視扇形状としたが、これらの形状以外に例えば切欠き部４の平面視形状を三角形状或いは四角形とし、これに合わせてコーナー収納箱５の平面視外郭形状を対応させてもよい。
【図面の簡単な説明】
【００２７】
【図１】本発明の一実施形態の浴槽へのコーナー収納部材の取付構造を説明する分解斜視図である。
【図２】（ａ）は同上のコーナー収納箱の取り付け状態を説明する側面断面図、（ｂ）は（ａ）のＥ部の拡大断面図である。
【図３】同上の浴槽と洗い場とを説明する平面図である。
【符号の説明】
【００２８】
１  浴槽
２  フランジ部
２Ａ  コーナー部分
２ａ  フランジ部上面
３  浴槽裏側
４  切欠き部
４ａ  切欠き木口
５  コーナー収納箱
５ａ  底面部
６  ドレン管
７  木口カバー材
８  上面開口部
９  上蓋
【図１】
2010142610.tif 000003
【図２】
2010142610.tif 000004
【図３】
2010142610.tif 000005